(57)【要約】【課題】    版枠及びスキージヘッド部の駆動を分離し各別に制御できるようにした版枠及びスキージヘッドの駆動装置を提供すること。【解決手段】    基台２の四隅部に設けた縦柱杆３の内側に設置位置を横方向に移動可能にした版枠支持装置１０を設ける。版枠支持装置１０は対向するものどうしを横連結柱杆１１により連結し、縦柱杆３は対向するものどうしを横柱杆５により連結する。版枠支持装置１０には版枠支持装置を横方向に移動させる駆動機構と、版枠１００を固定するクランプ機構と版枠を固定して上下方向に移動させる駆動機構を設ける。横柱杆に沿って設けたガイドレール横管６上を移動する移動枠体を設け、移動枠体にスキージヘッド部３０を装着して上下方向に移動させる駆動機構を設ける。版枠及びスキージヘッド部５０は各別に駆動される。【選択図】    図１
2005153443.tif 000002
【特許請求の範囲】
【請求項１】
機台の四隅部に縦柱杆（３）を設け、該各縦柱杆は対向するものどうしを横連結柱杆（１１）により連結し、上記各縦柱杆の内側に設置位置が横方向に移動可能でかつ上記横連結柱杆と平行する横柱杆（５）により連結された版枠支持装置（１０）を設け、機台に上記各版枠支持装置を横方向に移動させるための駆動機構を設け、上記各横連結柱杆に版枠を固定するためのクランプ機構（２１，２２）を設け、上記各版枠支持装置に上記各横連結柱杆を上下方向に移動させるための駆動機構を設け、上記各横柱杆に当該横柱杆に沿って移動する移動枠体（３１）を設け、該各移動枠体には上下方向に移動可能でかつスキージヘッド部を装着する連結機構（３４）を設けることにより、版枠及びスキージヘッド部を各別に駆動することを特徴とするスクリーン印刷装置における版枠及びスキージヘッドの駆動装置。
【請求項２】
クランプ機構（２１，２２）が、横連結柱杆（１１）に設けた支持台（２１）と該支持台に向かって作用する第１の流体シリンダ（２２）であり、版枠を上記支持台と上記第１の流体シリンダによって挟着することを特徴とする請求項１に記載のスクリーン印刷装置における版枠及びスキージヘッドの駆動装置。
【請求項３】
横連結柱杆（１１）に、該横連結柱杆の下方で上下方向に移動するリフト板（２３）を設け、該リフト板の先端を当該横連結柱杆よりも装置の内側に突出し、突出した部分にローラを設けたことを特徴とする請求項１又は２に記載のスクリーン印刷装置における版枠及びスキージヘッドの駆動装置。
【請求項４】
スキージヘッドを装着する連結機構（３４）が箱型形状に形成されており、該連結機構とスキージヘッドのスキージ取付け杆との間に軟質材を介在させたことを特徴とする請求項１から３のいずれかに記載のスクリーン印刷装置における版枠及びスキージヘッドの駆動装置。
【発明の詳細な説明】
【技術分野】
【０００１】
本発明は、スクリーン印刷装置における版枠及びスキージヘッドを個別に駆動する駆動装置に関するものである。
【背景技術】
【０００２】
スクリーン印刷機において、印刷面積の拡大に伴い版枠やスキージが大きくなり重量も増してくるので、駆動系の大型化並びに装置寸法の増加が避けられない状況にある。因みに版枠の幅が３〜４ｍを越すと、スキージヘッド部と版枠部を合わせた総重量は３トン以上になる。このため、一人で版枠の着脱作業ができないのは勿論のこと、重量のあるスキージヘッド部と版枠部を、数十ミクロンの精度を維持しながら上下動させることが困難になる。また、各部の強度を高める必要から装置全体の重量が増加し、これらを駆動する駆動モータも大型化する。さらに装置が大型化するために、価格が高騰するだけでなく、重量増大による設置場所の選定に苦慮することが挙げられる。
【０００３】
従来技術におけるスクリーン印刷機の版枠部及びスキージヘッド部の駆動装置は、下記の特許文献に記載されたものが知られている。
【特許文献１】実公平５-２５８８３号実用新案公報
【特許文献２】特許第３１５２６２６号特許公報  特許文献１に記載の発明は、版枠支持部と印刷機構を駆動するリフト装置３が、メインリフトモータ１１の駆動で回転するリフトカム１２と、該リフトカム１２の回転によってリフトレバー１７を介して昇降可能に設けたシャフトジョイントプレート１５を有しており、上記版枠支持部と印刷機構がシャフトジョイントプレート１５に結合されているものである。また、特許文献２に記載の発明は、印刷テーブル機構に対する版取付機構及び印刷機構のスライド装置であって、版取付機構Ｂの版保持部４が印刷機構Ｃと分離して移動するようにしたものである。
【０００４】
上記特許文献１に記載の発明は、版枠支持部と印刷機構を結合したシャフトジョイントプレートがカムの回転によって昇降するものであるから、装置が大型になり重量も大になると正確な駆動が望めなくなるといった問題があり、また、特許文献２に記載の発明は、版取付機構Ｂの版保持部４が印刷機構Ｃと分離して移動するようにしたものであるが、これらを各別に駆動するための駆動構造は開示されていない。
【発明の開示】
【発明が解決しようとする課題】
【０００５】
本発明は、従来技術の問題点を解決するために開発されたものであって、版枠部及びスキージヘッド部の駆動を分離し各別に制御できるようにした版枠部及びスキージヘッド部の駆動装置を提供することを課題としている。
【課題を解決するための手段】
【０００６】
解決手段は、機台の四隅部に縦柱杆を設け、該各縦柱杆は対向するものどうしを横連結柱杆により連結し、上記各縦柱杆の内側に設置位置が横方向に移動可能でかつ上記横連結柱杆と平行する横柱杆により連結された版枠支持装置を設け、機台に上記各版枠支持装置を横方向に移動させるための駆動機構を設け、上記各横連結柱杆に版枠を固定するためのクランプ機構を設け、上記各版枠支持装置に上記各横連結柱杆を上下方向に移動させるための駆動機構を設け、上記各横柱杆に当該横柱杆に沿って移動する移動枠体を設け、該各移動枠体には上下方向に移動可能でかつスキージヘッド部を装着する連結機構を設けることにより、版枠及びスキージヘッド部を各別に駆動することを特徴とするものである。
また、クランプ機構が横連結柱杆に設けた支持台と該支持台に向かって作用する第１の流体シリンダであり、版枠を上記支持台と上記第１の流体シリンダによって挟着することを特徴とする。
また、横連結柱杆に、該横連結柱杆の下方で上下方向に移動するリフト板を設け、該リフト板の先端を当該横連結柱杆よりも装置の内側に突出し、突出した部分にローラを設けたことを特徴とする。
サらに又、スキージヘッドを装着する連結機構が箱型形状に形成されており、該連結機構とスキージヘッドのスキージ取付け杆との間に軟質材を介在させたことを特徴とする。
【発明の効果】
【０００７】
本発明は、版枠の駆動とスキージヘッド部の駆動装置を分離して各別に行うものであって、とくに版枠の支持装置を移動する駆動機構及び版枠を上下方向に移動する駆動機構は各版枠支持装置に分散して設けたものであるから、軽量なユニットを移動させればよいので駆動機構が小型のもので良く、また、個々の剛性も少なくて良いので全体として重量が軽減し、さらに低価格、精度維持の容易性が改善されるものである。
【発明を実施するための最良の形態】
【０００８】
図１はスクリーン印刷機の全体を示す正面図、図２はスクリーン印刷機の全体を示す他の面から視た正面図、図３は図１，２における平面図、図４は版枠の支持装置を示す縦断正面図、図５は版枠の固定構造を示す正面図、図６は版枠の搬入構造を示す正面図、図7はスキージヘッド部の駆動装置を示す縦断正面図、図８はヘッド体の取付け構造を示す断面図である。
【０００９】
図１から図３において、スクリーン印刷機１は、機台２の四隅部に縦柱杆３を設け、該各縦柱３の頂部を梁部材４により連結して枠組みを形成したものである。上記各縦柱杆３の内側において設定位置が変更可能な版枠支持装置１０が設けられており、該各版枠支持装置１０は平面視（図１）で上下方向に位置するものどうしを横連結柱杆１１により連結したものである。また、四隅部に設けた各縦柱杆３は、図７に示すように、上下方向に位置するものどうしを横柱杆５により連結したものであり（平面視で上下方向）、対向する上記各横柱杆５にスキージヘッド部３０及びスクレーパ部５０が移動可能に設けられている。
【００１０】
図４において、版枠支持装置１０が有する移動架台１２は、装置の内側に向かって設けたレール１３上を摺動自在に移動するものであって、該移動架台１２は下側に設けたボールねじ機構内蔵のボールねじケース１４が横方向に延びる横ボールねじ軸１５とネジ結合されている。１６は横ボールねじ軸１５を回転する駆動モータである。また、移動架台１２に形成された縦架台１７には、縦方向に延びる縦ボールねじ軸１８が設けられている。また、該縦ボールねじ軸１８にはボールねじ機構を内蔵した連結部材１９がネジ結合されており、さらに連結部材１９が上記横連結柱杆１１と結合されている。２０は縦ボールねじ軸１８を回転する駆動モータである。
【００１１】
駆動モータ１６を駆動させて横ボールねじ軸１５を回転すると、移動架台１２は、互いに近づいたり遠ざかったりする方向に移動するので版枠１００の大きさに合った位置に設定する。また、横連結柱杆１１は、駆動モータ２０により縦ボールねじ軸１８を回転して連結部材１９の上下方向の移動に伴って上下方向に移動する。この時、移動架台１２は対向するものが対の状態で移動できるように、それぞれの横ボールねじ軸１５は全ての駆動モータ１６を同調させて回転させる。また、横連結柱杆１１は版枠１００を上下方向に移動させるものであるから、版枠１００が水平状態で移動するように、それぞれの縦ボールねじ軸１８も全ての駆動モータ２０を同調させて回転させる。なお、版枠１００は横連結柱杆１１に対し装置の内側に設けられるものであって、版枠１００を固定するクランプ構造は当該横連結柱杆１１に設けられている。
【００１２】
図５において、版枠１００のクランプ構造は、横連結柱杆１１の下面に該横連結杆１１に対し装置の内側に突出させた支持台２１である。支持台２１の上方には該支持台２１に向かって作用する第１の流体シリンダ２２が横連結柱杆１１に設けられており、ピストンロッドの先端に設けた押え板２２ａが版枠１００に当接している。また、図６において、横連結柱杆１１には、該横連結柱杆１１の下方で上下方向に移動するリフト板２３が設けられている。２４はリフト板２３を上下方向に移動させる第２の流体シリンダで、ピストンロッド２４ａの先端がリフト板２３と結合している。２５はリフト板２３の先端で横連結柱杆１１よりも装置の内側に突出した部分に設けたローラである。なお、上記の支持台２１及びリフト板２４は、図１を参照して、横連結柱杆１１に複数個が設けられている。
【００１３】
版枠１００は、図示しない搬送装置によって横連結柱杆１１の内側に設けた支持台２１上に搬送され、第１の流体シリンダ２２の作用によって当該支持台２１に圧着されて固定される。これにより、版枠１００は支持台２１を介して横連結柱杆１１に固定される（図５）。この時、リフト板２３は第２の流体シリンダ２４によってローラ２５が版枠１００の下面から僅かに離れた位置まで下げておく。そして、版枠１００を搬送する場合は、第２の流体シリンダ２４によってリフト板２３を上昇させてローら２５を版枠１００の下面に接触する（図６）。次いで、リフト板２３を上昇させ、版枠１００を支持台２１から離して当該ローラ２５上に載置して版枠１００を搬出する。
【００１４】
図１を参照して、スキージヘッド部３０とスクレーパ部５０は同じ構造のものが平行して設けられているので、以下はスキージヘッド部について説明する。図７において、装置の四隅部に設けられた縦柱杆３は、平面視で両側に位置する縦柱杆３どうしを横柱杆５によって連結されている。また、横柱杆５に平行して設けたガイドレール横管６に移動枠体３１が移動可能に設けられている。ガイドレール横管６は中空構造に形成されており、内部にタイミングベルト等による駆動ベルト３２が設けられていて、該駆動ベルト３２と上記移動枠体３１が連結されている。さらに又、移動枠体３１には、第２の縦ボールねじ軸３３が縦方向に設けられており、該第２の縦ボールねじ軸３３にボールねじ機構を内蔵した第２の連結部材３４がネジ結合されている。３５は第２の縦ボールねじ軸３３を回転する駆動モータである。
【００１５】
第２の連結部材３４が移動枠体３１とスキージヘッド部を連結する連結機構であって、第２の連結部材３４は、装置の内側に向かう面が開口しており、開口部にスキージ取付け杆３６の端部を装着するものである。３７はスキージ取付け杆３６の上部に設けた補強用梁、３８はスキージ取付け杆３６に着脱自在に取り付けたスキージである。
【００１６】
図８において、第２の連結部材３４は、スキージ取付け杆３６の端部が挿入可能な箱型形状に形成されており、上板３４ａが着脱自在に設けられ、止めネジ３９によって固定されるものである。第２の連結部材３４の底部及び背部には、ゴム又はプラスチックの軟質材４０が貼着され、また、正面及び上方の押え板４１にもゴム又はプラスチックの軟質材４２が貼着されている。スキージ取付け杆３６を装着する時は、第２の連結部材３４の上板３４ａを外して挿入し、上板３４ａは止めネジ３９で固定する。また、第２の連結体３４の正面及び上板３４ａにはいずれも調整ネジ４３を設けているので、調整ネジ４３の締め付けにより軟質材４０，４２の圧着具合を調節する。これにより第２の連結部材３４とスキージ取付け杆３６との間に軟質材４０，４２が挿入されたので、印刷装置に発生する微振動をスキージに伝えないようにカットできる。
【００１７】
スキージヘッド部３０は、駆動モータ３５により第２のボールねじ軸３３を回転させると第２の連結部材３４と共に第２の縦ボールねじ軸３３に沿って上下方向に移動する。また、スキージヘッド部３０は、図示しない駆動装置によりガイドレール横管６内の駆動ベルト３２を移動させると駆動ベルト３２に沿って横方向に往復移動する。なお、スキージヘッド部３０（スクレーパ部５０）は、水平状態を維持して上下方向及び横方向に移動させるために、駆動モータ３５及び駆動ベルト３２を回動させる駆動装置はそれぞれ同調して作動させる。
【実施例】
【００１８】
本発明装置は、図１に示す正面視の幅が４６００ｍｍ、高さが２５００ｍｍであり、装着可能な版枠は、正面視の幅が２３００〜３３００ｍｍである。
【産業上の利用可能性】
【００１９】
本発明は、版枠及びスキージヘッド部の駆動装置を分離して各別に駆動するものであるから、駆動装置が小型化でき低価格で提供できるものである。
【図面の簡単な説明】
【００２０】
【図１】スクリーン印刷機の全体を示す平面図。
【図２】スクリーン印刷機の全体を示す正面図。
【図３】スクリーン印刷機の全体を示す他の面から視た断面図。
【図４】版枠支持装置を示す縦断正面図。
【図５】版枠を横連結柱に固定する固定機構を示す正面図。
【図６】版枠を横連結柱に搬入する搬入機構を示す正面図。
【図７】スキージヘッド部の駆動装置を示す縦断正面図。
【図８】スキージヘッドの取付け構造を示す断面図。
【符号の説明】
【００２１】
１  スクリーン印刷機
２  機台
３  縦柱杆
４  梁部材
５  横柱杆
６  ガイドレール横管
１０  版枠支持装置
１１  横連結柱杆
１２  移動架台
１３  レール
１４  ボールねじケース
１５  横ボールねじ軸
１６  駆動モータ
１７  縦架台
１８  縦ボールねじ軸
１９  連結部材
２０  駆動モータ
２１  支持台
２２  第１の流体シリンダ
２３  リフト板
２４  第２の流体シリンダ
２５  ローラ
３０  スキージヘッド部
３１  移動枠体
３２  駆動ベルト
３３  第２の縦ボールねじ軸
３４  第２の連結部材
３５  スキージ取付け杆
３６  補強用梁
３７  スキージ
３８  止めネジ
３９  軟質材
４０  押え板
４１  調整ネジ
４２  軟質材
５０  スクレーパ部
１００  版枠
【図１】
2005153443.tif 000003
【図２】
2005153443.tif 000004
【図３】
2005153443.tif 000005
【図４】
2005153443.tif 000006
【図５】
2005153443.tif 000007
【図６】
2005153443.tif 000008
【図７】
2005153443.tif 000009
【図８】
2005153443.tif 000010
【手続補正書】
【提出日】平成16年5月12日(2004.5.12)
【手続補正１】
【補正対象書類名】明細書
【補正対象項目名】０００３
【補正方法】変更
【補正の内容】
【０００３】
従来技術におけるスクリーン印刷機の版枠部およびスキージヘッド部の駆動装置は、下記の特許文献に記載されたものが知られている。特許文献１に記載の発明は、版枠支持部と印刷機構を駆動するリフト装置３が、メインリフトモータ１１の駆動で回転するリフトカム１２と、該リフトカム１２の回転によってリフトレバー１７を介して昇降可能に設けたシャフトジョイントプレート１５を有しており、上記版枠支持部と印刷機構がシャフトジョイントプレート１５に結合されているものである。また、特許文献２に記載の発明は、印刷テーブル機構に対する版取付機構及び印刷機構のスライド装置であって、版取付機構Ｂの版保持部４が印刷機構Ｃと分離して移動するようにしたものである。
【特許文献１】実公平５−２５８８３号実用新案公報
【特許文献２】特許第３１５２６２６号特許公報